(57)【特許請求の範囲】
【請求項１】
建物の階間部或いはサッシ枠と外壁面材との間の横目地４８に取付けられる見切り目地材であって、屋内側を向く差込部２３を備え、階下の外壁面材２８上端部又はサッシュ上端部に被さる見切り２２と、前記差込部２３に下側より当てがわれるベース部３７と、該ベース部３７より前記差込部２３の先端脇を通って立上がり、かつ前記差込部上において起倒可能で、階上の外壁面材４５下端面により押え込まれて前記差込部側に倒れ込むシール部３８と、前記差込部上に位置し、前記シール部３８の倒れ込みによってシール部と共に倒れ、前記ベース部３７との間で前記見切り２２の差込部２３を上下より挟着する押え部３９を備えるガスケット２４よりなる見切り目地材において、前記見切り２２は、横目地奥の下地材２９に止着して取付けられるブラケット２５と、該ブラケット２５に着脱可能に取付けられ、前記差込部２３を備えると共に、外観を意匠面として形成した意匠部２６とにより構成されることを特徴とする見切り目地材。
【請求項２】
前記見切り２２と接触するベース部３７下面及び階上の外壁面材下端面と弾接するシール部３８の接触面には比重０．５以下のスポンジ層４６が設けられることを特徴とする請求項１記載の見切り目地材。
【請求項３】
前記シール部３８が中空状をなすことを特徴とする請求項１又は２記載の見切り目地材。
【発明の詳細な説明】
【技術分野】
【０００１】
本発明は、建物の階間部或いはサッシ枠と外壁面材との間の横目地に取付けられる見切り目地材に関する。
なお、本明細書において、上下は、外壁面材を下地材に組付けたときの外壁面材の上下方向を指すものである。
【背景技術】
【０００２】
図１は、建物の１、２階の階間部の外壁構造の一例を示すもので、下地材１に防水シート又は水切り鋼板等よりなる二次防水層２を設置したのち、１階部分の外壁面材３ａを組付け、ついで該外壁面材上方の２次防水層２に鋼板等の金属製の見切り４を前記外壁面材上端に被さるようにしてビスや釘等の止着具５により止着したのち、２階部分の外壁面材３ｂを組付けて構成されており、外壁面材３ａ、３ｂで形成される１次防水ラインが途切れる階間部の横目地６では２次防水層２と、該防水層２に重ねられる見切り４により防水が行われるようになっている。
【０００３】
図１に示す外壁構造では、横目地６において外壁面材３ａ、３ｂで形成される１次防水ラインが途切れているが、横目地に湿式シーリングやガスケットが取付けることも行われている。
【０００４】
図２は特許文献１に開示される横目地の止水構造に関するもので、サッシ枠１１と外壁面材１２間に形成される横目地１３を隠すアタッチメント１４にガスケット１５を取付けて、横目地１３に屋外側より押し込んで取付けられるようになっている。
【先行技術文献】
【特許文献】
【０００５】
【特許文献１】特開２００９−１８５４４８号
【発明の概要】
【発明が解決しようとする課題】
【０００６】
図２に示す止水構造によると、横目地にガスケット付きアタッチメントを押し込んで取付けることにより、ガスケットによる横目地の止水と、アタッチメントによる横目地隠しが行われる。
【０００７】
本発明は、見切りに横目地をシールするガスケットを組み付けて見切りとガスケットの両機能を兼備する見切り目地材において、見切りとガスケットとの組み付けが容易かつ確実に行われるようにすることを目的とする。
【課題を解決するための手段】
【０００８】
請求項１に係わる発明は、建物の階間部或いはサッシ枠と外壁面材との間の横目地４８に取付けられる見切り目地材であって、屋内側を向く差込部２３を備え、階下の外壁面材２８上端部又はサッシュ上端部に被さる見切り２２と、前記差込部２３に下側より当てがわれるベース部３７と、該ベース部３７より前記差込部２３の先端脇を通って立上がり、かつ前記差込部上において起倒可能で、階上の外壁面材４５下端面により押え込まれて前記差込部側に倒れ込むシール部３８と、前記差込部上に位置し、前記シール部３８の倒れ込みによってシール部と共に倒れ、前記ベース部３７との間で前記見切り２２の差込部２３を上下より挟着する押え部３９を備えるガスケット２４よりなる見切り目地材において、前記見切り２２は、横目地奥の下地材２９に止着して取付けられるブラケット２５と、該ブラケット２５に着脱可能に取付けられ、前記差込部２３を備えると共に、外観を意匠面として形成した意匠部２６とにより構成されることを特徴とする。
【０００９】
請求項３に係わる発明は、請求項１又は２に係わる発明において、シール部が中空状をなすことを特徴とする。
【発明の効果】
【００１０】
請求項１に係わる発明によると、横目地へのガスケットと見切りの取付けが一度の作業で同時に行えること、見切り目地材は横目地を形成したのちでも、また横目地を形成する前、すなわち階下の外壁面材或いはサッシ枠を設置したのち、階上の外壁面材を取付る前でも組付けることができる。後者の場合では、外壁面材組付けと同時に見切り目地材を組み込むことができること、シール部が階上の外壁面材で押し込まれて倒れると、これに伴い押え部も倒れ、見切りの差込部を押えて、該差込部をベース部と押さ部で上下より挟み込んで支持することができる。この際、階上の外壁面材でシール部を押え込めば押え込む程、水密性が強化されると共に、押え部による差込部への押さえも強化され、ガスケットと見切りをしっかりと確実に連結できる。またベース部と押さえ部との間への見切りの差込部の挿入は、当初緩くしておいても（これにより差込が容易となる）、シール部の押し込みによって強固に固定することができる。そして横目地に取付けたガスケットにより外壁面材で形成される１次防水ラインが途切れることなく続き、また見切りをブラケットと意匠部に分離することによりガスケットを意匠部の差込部に取付け易くなり、またブラケットを下地材に取付け易くなる等の効果を奏する。
【００１１】
請求項２に係わる発明によると、横目地での水密性を向上させることができる。
請求項３に係わる発明によると、シール部が中空構造をなすことにより、リップ状のシール部に比べ、シール圧力が確保され易く水密性をより高めることができる。また階上の外壁面材を取付前に組付けた場合、階上の外壁面材を取付時、シール部がリップ状であると、リップのめくれ（反転）等が発生し易くなるが、中空形状ではこうした問題が生じにくい。
【図面の簡単な説明】
【００１２】
【図１】階間部の外壁構造の従来例を示す断面図。
【図２】横目地の止水構造の従来例を示す断面図。
【図３】見切りの差込部に取付けられる本実施形態に係わるガスケットの断面図。
【図４】横目地形成前に本実施形態の見切り目地材を階下の外壁面材上端に設置した状態を示す断面図。
【図５】階上の外壁面材を取付けた横目地形成後の断面図。
【図６】本実施形態の見切り目地材の別の組付け態様を示す断面図。
【図７】別の実施形態の見切り目地材の断面図。
【発明を実施するための形態】
【００１３】
以下、本発明の実施形態の見切り目地材について図により説明する。
本実施形態の見切り目地材２１は図４及び図５に示されるように、見切り２２と、該見切り２２の差込部２３（見切り目地材２１を横目地に取付けたとき、屋内側を向く）に差込んで取付けられるガスケット２４より構成され、以下、見切り２２とガスケット２４について個別に説明する。
【００１４】
見切り２２は、鋼その他の金属又は硬質樹脂製又はその複合で形成され、その構成はブラケット２５と、該ブラケット２５の鉤状部２５ａに嵌合して取付けられ、外観を意匠面として形成した意匠部２６とよりなり、ブラケット２５は屋内側の一端に上向きに立上がる取付部２７を備え、該取付部２７で階下の外壁面材２８上の下地材２９に二次防水層３１を形成する、例えば防水シートを通して止着される釘やビス等の止着具３２により止着して取付けられるようになっている。意匠部２６は紙面に直交する方向に連続的に設けられ、ブラケット２５は紙面に直交する方向に連続的に、又は間隔を存しながら形成されている。
【００１５】
意匠部２６は、ブラケット２５の鉤状部２５ａに嵌着してブラケット２５を覆うと共に、階下の外壁面材２８上端部に被さり、ブラケット２５との連結状態で差込部２３がブラケット２５と一定の間隔を存して平行に延び、その前端には下向きに屈折した突部３３が形成されている。そして該突部３３は前記ブラケット２５の取付部２７と対向して一定の間隔を存している。また、該突部３３は紙面に直交する方向に連続的に、又は間隔を存しながら長く形成されている。
【００１６】
見切り２２の差込部２３に差込んで取付けられるガスケット２４は、ＥＰＤＭ等のゴム又は熱可塑性エラストマーよりなる押出成形品で、図３に詳細に示されるように、差込部２３に下側より当てがわれるベース部３７と、前記差込部２３の先端脇を通り、ベース部３７より立ち上がる中空断面のシール部３８と、該シール部３８の根元よりベース部３７と適宜の間隔を存してベース部３７の中間部付近まで側方に突出し、前記差込部２３上に位置する押え部３９よりなり、ベース部３７には、上面の根元に前記差込部２３の突部３３が嵌合係止する窪み４１が形成されると共に、自由端部が上下に膨出した厚肉部４２として形成されている。
【００１７】
また図３には示されていないが、前記押え部３９の自由端部には下向きに突出成形される凸部４３が形成されている（図７参照）。この押え部３９の自由端の凸部４３とベース部３７の自由端部の上下に膨出した厚肉部４２によって、後に説明する意匠部２６に押込まれた後の状態において、意匠部２６を強固に固定できると共に、差込部２３を伝ってガスケット２４の窪み４１方向への水の浸入を防止するなどのシール性を高めている。
【００１８】
ベース部３７にはまた、厚肉部４２の下側の膨出部分側方の下面と、前記シール部３８の階上の外壁面材４５（図５参照）と接触する湾曲した接触面にはスポンジ層、好ましくは比重０．５以下のスポンジ層４６が一体形成されている。図中、４７は押え部側方のシール部３８下にインサートされる金属又は樹脂製の芯材である。
【００１９】
本実施形態の見切り目地材２１は以上のように構成され、階間部の横目地への組込は次のようにして行われる。
【００２０】
先ず、階下の外壁面材２８を二次防水層３１を介して下地材２９に組み付けておき、その後、見切り２２のブラケット２５を意匠部２６より分離した状態で、階下の外壁面材２８上端に載せ、取付部２７を外壁面材上の下地材２９に２次防水層３１を通して止着具３２により止着して取付ける（図４参照）。
【００２１】
次にガスケット２４のベース部３７と押え部３９との間に意匠部２６の差込部２３が挿入されるようにガスケット２４を差込部２３にその自由端側から押込む。この押し込みは、窪み４１に差込部２３の突部３３が嵌合するまで行われる。ガスケット２４の押え部３９の自由端部の凸部４３とベース部３７の上に膨出した厚肉部４２は差込部２３とラップ設定（組合わせる前の単品の状態では、凸部４３と厚肉部４２は差込部２３に食い込む大きさに設定）されているため、嵌合力が大きくなる。なお前述するガスケット２４の意匠部２６への組み付けは、ブラケット２５を下地材２９に取付ける前に行っておいてもよい。
【００２２】
次にガスケット２４を取付けた意匠部２６をブラケット２５の鉤状部２５ａに屋外側より押し込んで嵌着する。意匠部２６の押し込みは、鉤状部２５ａのコーナに意匠部２６の傾斜部２６ａが当る押込み限度まで行われ、図４は、限度まで押し込まれた状態を示す。この状態で意匠部２６はブラケット２５に固定状態で取付けられ、ブラケット２５を覆うと共に外壁面材２８上端部に被さった状態となる。
【００２３】
ガスケット２４を備えた見切り目地材２１を外壁面材２８上に取付けたのち、階上の外壁面材４５を階下の外壁面材２８の延長上に位置させて下地材２９に組付ける。そして階下の外壁面材２８との間に横目地４８を形成する。
【００２４】
横目地４８の形成時、階上の外壁面材４５の下端面によってガスケット２４のシール部３８は差込部上で屈曲しながら倒れて押し潰されるが、この押し潰しによる反力と、起き上がろうとするシール部３８の反力により、該シール部３８は外壁面材４５の下端面に圧着し、水密性を高める。またシール部３８と共に押え部３９も倒れ込み、押え部３９の先端が差込部２３を押え込む。
【００２５】
以上のようにして階上の外壁目地材４５の組付けにより横目地４８への見切り目地材２１の組付けも同時に行われる。
【００２６】
以上は階下の外壁面材２８を取付けたのち、見切り目地材２１を組付け、ついで階上の外壁面材４５を取付ける方法について述べたが、図６に示すように、下地材２９に階下の外壁面材２８を、ついでブラケット２５を取付けたのちに階上の外壁面材４５を取付け、その後にガスケット２４を取付けた意匠部２６を屋外側より図の矢印方向に押し込んで組み込むようにしても同様の効果を上げることができる。この効果を生ずるのは、ガスケット２４が目地等へ取付けられる前では、その中空状のシール部３８が略楕円形で、その長い方の側面が起立する形態をなしているためである（図３参照）。更に前記楕円形のシール部３８の屋外側の側壁は屋外側へ突出した略く字状をなしているため、前記した２つの取付け方法ではいずれも、シール部３８が屋外側へ倒れ込んで撓み易い。また階上の外壁面材４５との水密性を高めるため、シール部３８の上側側壁は肉厚に形成されている。なお前記シール部３８の中空状の空洞部は押え部３９よりも上部に形成されており、前記芯材４７は該空洞部の下に位置している。
【００２７】
前記実施形態ではまた、シール部３８として中空状のシール部を示したが、リップ状のシール部であっても階上の外壁面材４５と弾接して水密機能を果すことができる。
【００２８】
前記実施形態においてはまた、見切り目地材２１は階下の外壁面材上に組み付けられるようになっているが、サッシ枠上に組付けるようにすることもできる。
【００２９】
前記実施形態ではまた、見切り２２を構成するブラケット２５と意匠部２６が分離できるようにしてあり、これによりブラケット２５が下地材２９に止着具３２により容易に取付けられ、かつまたガスケット２４が差込部２３にその自由端側からブラケット２５に邪魔されることなく容易に差し込んで取付けできるようになっているが、見切り２２を下地材２９に取付け後、ガスケット２４を差込部２３とブラケット２５との間に潜らせるようにして押し込んで取付けできるようにすれば、ブラケット２５と意匠部２６を一体に形成することもできる。この場合、ブラケット２５の取付部２７は下地材２９に接着剤にて接着される。
【００３０】
図７に示す実施形態では、前記差込部２３の上面に円弧状断面の凹部３４を形成すると共に、下面に平溝状の凹所３５を形成し、凹部３４には前記押え部３９の自由端部下に突出形成される凸部４３が嵌合係止し、また前記凹所３５には前記ベース部３７の厚肉部４２の上側の膨出部分が嵌合係止するようにされる。こうした嵌合係止により差込部２３はベース部３７と押え部３９に対し強固に抜け止めされるようになる。
【００３１】
前記凸部４３は押え部３９に形成する代わりに差込部２３に形成してもよく、更には該凸部を押え部下面に形成の凹部に嵌合係止させるようにしてもガスケット２４と差込部２３の抜け止めを同様にして行うことができる。
【符号の説明】
【００３２】
２１・・見切り目地材
２２・・見切り
２３・・差込部
２４・・ガスケット
２５・・ブラケット
２６・・意匠部
２７・・取付部
２８、４５・・外壁面材
２９・・下地材
３１・・二次防水層
３４・・凹部
３５・・凹所
３７・・ベース部
３８・・シール部
３９・・押え部
４２・・厚肉部
４３・・凸部
４６・・スポンジ層
４８・・横目地
【図１】
0005700410.tif 000002
【図２】
0005700410.tif 000003
【図３】
0005700410.tif 000004
【図４】
0005700410.tif 000005
【図５】
0005700410.tif 000006
【図６】
0005700410.tif 000007
【図７】
0005700410.tif 000008